(57)【要約】      （修正有）【課題】架設ピッチＰ１又はＰ２のいずれの焼き網にも適用できる被調理物の掬い具を提供する。【解決手段】取手１と掬い板６とから成り、掬い板６の先端側に複数の掬い爪７と切欠８とを等ピッチＰ１で交互に配列形成し、その切欠８を焼き網の平行線材１２に嵌着させ、掬い板６を平行線材１２へ沿わせて前方へスライドさせることにより、焼き魚等の被調理物を掬い上げるように構成し、取手１と掬い板６とを別体に形成して着脱可能に構成するとともに、掬い板６の後端側にも複数の掬い爪７と切欠８とをピッチＰ１と異なるピッチＰ２で交互に配列形成し、焼き網を構成する平行線材の異なる架設ピッチＰ１・Ｐ２に対応させて、掬い板６に対する取手１の装着向きを変更可能に構成する。【選択図】図１
0003107310.tif 000002
【実用新案登録請求の範囲】
【請求項１】
取手（１）と掬い板（６）とから成り、掬い板（６）の先端側に複数の掬い爪（７）と切欠（８）とを等ピッチ（Ｐ１）で交互に配列形成し、その切欠（８）を焼き網（１１）の平行線材（１２）に嵌着させ、当該掬い板（６）を平行線材（１２）へ沿わせて前方へスライドさせることにより、焼き魚等の被調理物を掬い上げるように構成した被調理物の掬い具において、
上記取手（１）と掬い板（６）とを別体に形成して着脱可能に構成するとともに、当該掬い板（６）の後端側にも複数の掬い爪（７）と切欠（８）とを前記ピッチ（Ｐ１）と異なるピッチ（Ｐ２）で交互に配列形成し、焼き網（１１）を構成する平行線材（１２）の異なる架設ピッチ（Ｐ１・Ｐ２）に対応させて、掬い板（６）に対する取手（１）の装着向きを前後変更可能に構成したことを特徴とする被調理物の掬い具。
【請求項２】
請求項１に記載の被調理物の掬い具において、
上記取手（１）の先端部に左右一対の掛止部（５・５）を形成するとともに、上記掬い板（６）の前後中間平板部（６ａ）の裏面側に左右一対の被掛止部（９・９）を膨出形成し、上記掬い板（６）の被掛止部（９・９）内に取手（１）の掛止部（５・５）を掛入して着脱可能に構成したことを特徴とする被調理物の掬い具。
【請求項３】
請求項２に記載の被調理物の掬い具において、
上記取手（１）を弾性変形可能な線材で形成し、当該取手（１）の弾発力でその掛止部（５・５）を掛入側へ付勢するように構成したことを特徴とする被調理物の掬い具。
【考案の詳細な説明】
【技術分野】
【０００１】  この考案は、焼き網上の被調理物を掬い上げるのに使用する掬い具の改良に関する。
【背景技術】
【０００２】  ガスレンジ等で焼き魚等の被調理物を加熱調理する場合には焼き網が使用される。この焼き網は、例えば金属製の枠材に断面円形の金属線材を複数本平行で等ピッチに架設して構成される。焼き網上の被調理物を身崩れが生じないように掬い上げるのに使用する掬い具としては、従来より例えば特許文献１又は特許文献２に開示されたものが知られている。【０００３】  それらは、いずれも取手と平板状の掬い板とを一体に構成し、掬い板の先端側に複数の掬い爪と複数の切欠とを交互に設け、その切欠を焼き網の平行線材に嵌着させ、取手を持って掬い板を前方へ平行線材に沿わせてスライドさせることにより、焼き魚等の被調理物を掬い上げるように構成されている。
【特許文献１】  特開２００３−２１０３３９（当該公報中の図２参照）
【特許文献２】  実開昭４８−９２２７６（当該公報中の図１参照）
【考案の開示】
【考案が解決しようとする課題】
【０００４】  上記焼き網を構成する平行線材の架設ピッチは、ガスレンジ等のメーカーにより異なるが、大手メーカー２社の架設ピッチＰ１とＰ２にほぼ集約される。しかしながら、従来の掬い具では、１種類の架設ピッチ（例えばＰ１又はＰ２のいずれか一方）の焼き網にしか適用できず、ガスレンジ等を買い換えた場合には従前の掬い具を適用できない場合がある。
本考案はこのような事情を考慮してなされたもので、架設ピッチＰ１又はＰ２のいずれの焼き網にも適用できる被調理物の掬い具を提供することをその技術課題とする。
【課題を解決するための手段】
【０００５】  上記課題を解決するために本考案は以下のように構成される。
即ち、請求項１に記載の考案は、取手１と掬い板６とから成り、掬い板６の先端側に複数の掬い爪７と切欠８とを等ピッチＰ１で交互に配列形成し、その切欠８を焼き網１１の平行線材１２に嵌着させ、当該掬い板６を平行線材１２へ沿わせて前方へスライドさせることにより、焼き魚等の被調理物を掬い上げるように構成した被調理物の掬い具において、上記取手１と掬い板６とを別体に形成して着脱可能に構成するとともに、当該掬い板６の後端側にも複数の掬い爪７と切欠８とを前記ピッチＰ１と異なるピッチＰ２で交互に配列形成し、焼き網１１を構成する平行線材１２の異なる架設ピッチＰ１・Ｐ２に対応させて、掬い板６に対する取手１の装着向きを前後変更可能に構成したことを特徴とするものである。【０００６】  また、請求項２に記載の考案は、上記構成に加えて、取手１の先端部に左右一対の掛止部５・５を形成するとともに、掬い板６の前後中間平板部６ａの裏面側に左右一対の被掛止部９・９を膨出形成し、上記掬い板６の被掛止部９・９内に取手１の掛止部５・５を掛入して着脱可能に構成したことを特徴とするものである。【０００７】  そして、請求項３に記載の考案は、上記構成に加えて、取手１を弾性変形可能な線材で形成し、当該取手１の弾発力でその掛止部５・５を掛入側へ付勢するように構成したことを特徴とするものである。
【考案の効果】
【０００８】  請求項１に記載の本考案では、取手１と掬い板６とを別体に形成して着脱可能に構成するとともに、当該掬い板６の先端側と後端側に異なるピッチＰ１・ピッチＰ２で複数の掬い爪７と切欠８とを交互に配列形成し、焼き網１１を構成する平行線材１２の異なる架設ピッチＰ１・Ｐ２に対応させて、掬い板６に対する取手１の装着向きを前後変更可能に構成したことから、平行線材１２の架設ピッチが異なるＰ１又はＰ２のいずれの焼き網に対しても本掬い具を適用できるので至便である。【０００９】  また、請求項２に記載の考案では、取手１の先端部に左右一対の掛止部５・５を形成するとともに、掬い板６の前後中間平板部６ａの裏面側に左右一対の被掛止部９・９を膨出形成し、掬い板６の当該被掛止部９・９内に取手１の掛止部５・５を掛入して着脱可能に構成したことから、掬い板６への取手１の装着が簡単に行える。【００１０】  そして、請求項３に記載の考案では、取手１を弾性変形可能な線材で形成し、当該取手１の弾発力でその掛止部５・５を掛入側へ付勢するように構成したことから、掬い板６に装着した取手１が不用意に離脱するおそれはない。
【考案を実施するための最良の形態】
【００１１】  以下、本考案に係る被調理物の掬い具の実施形態について添付図面を参照しつつ説明する。ここで、図１はその掬い具の平面図、図２は取手の平面図、図３はその掬い具の側面図、図４はその掬い具の使用状態を示す斜視図である。なお、図１中の矢印Ｆは、掬い勝手方向（前方）を示す。【００１２】  この掬い具は、図１〜図４に示すように、取手１と掬い板６とを別体に形成して着脱可能に構成されている。上記取手１は、弾性変形可能な１本の線材（例えばステンレス鋼）で一体に形成されている。そしてこの取手１は、図２に示すように、略円形に折り返し形成された基端部２と、この基端部２から平面視でハの字状に拡開して延出された左右一対の握持部３・３と、この握持部３・３に連続して形成され、その途中を側面視（図３参照）で折曲形成した一対の拡開部分４・４と、その拡開部分４・４の各先端部を平面視で外向きへ巻き込んで形成した左右一対の掛止部５・５とから構成されている。そして上記基端部２と左右一対の握持部３・３とを片手で握持して掬い板６を掬い上げることができるように構成されている。なお、左右一対の握持部３・３は、握り易くするために、例えば図４に示すように略平行に形成しても良い。【００１３】  上記掬い板６は例えばステンレス鋼板を打ち抜きプレス加工して形成される。この掬い板６は、図１及び図３に示すように、前後方向の中間平板部６ａの先端側とその反対側である後端側に、それぞれ異なる配列ピッチＰ１・Ｐ２で複数の掬い爪７と切欠８とが交互に配列形成され、焼き網１１を構成する平行線材１２の異なる架設ピッチＰ１・Ｐ２に対応させて、掬い板６に対する取手１の装着向きを前後変更可能に構成されている。上記構成は、焼き網１１を構成する平行線材１２の異なる架設ピッチＰ１・Ｐ２のいずれかに対して掬い具を適用できるように意図したものである。【００１４】  上記前後の掬い爪７は、図１及び図３に示すように、掬い板６の前後中間平板部６ａに対して小さな掬い勾配（例えば８度）となるように形成されている。これは前後の掬い爪７の腰が弱くなるのを防ぐように意図したものである。また、その前後中間平板部６ａには、裏面側に膨出するように左右一対の被掛止部９・９がプレス加工により形成されており、この被掛止部９・９内に上記取手１の掛止部５・５を左右外側へに向けて掛入することにより装着するように構成されている。そして弾性変形可能な取手１は、その弾発力により拡開部分４・４が拡開する方向へ弾発付勢されており、その掛止部５・５を掛入側へ付勢するように構成されている。これにより、掬い板６に装着した取手１が不用意に離脱するおそれはない。また、上記中間平板部６ａには、魚を形取った打ち抜き孔１０が形成されている。これは掬い板６の軽量化を意図したものである。【００１５】  次ぎに掬い板６に対する取手１の装着向きを前後変更する場合について説明する。
図１、図３及び図４は、焼き網１１を構成する平行線材１２の架設ピッチＰ１に対応させて、掬い板６に対して取手１が装着されている状態を示す。この取手１の装着向きを前後変更するには、取手１の拡開部分４・４をその弾発力に抗して反拡開方向へ狭めることにより、掬い板６の被掛止部９・９から取手１の掛止部５・５の掛入を解く。次いで架設ピッチＰ２側の掬い爪７が前方へ向くように、取手１の装着向きを変えて掬い板６の被掛止部９・９に取手１の掛止部５・５を掛入する。これにより、取手１の装着向きは図１・図３及び図４の状態とは反対の向きに変更される。【００１６】  なお、上記の実施形態では、取手１を弾性変形可能な線材で形成し、取手１の先端部に左右一対の掛止部５・５を形成するとともに、掬い板６の前後中間平板部の裏面側に被掛止部９・９を膨出形成し、上記掬い板６の被掛止部９・９内に取手１の掛止部５・５を掛入して着脱可能に構成し、当該取手１の弾発力でその掛止部５・５を掛入側へ付勢するように構成したものについて例示したが、本考案はこれに限定されるものではない。即ち、本考案は、取手１と掬い板６とを別体に形成し、焼き網１１を構成する平行線材１２の架設ピッチＰ１・Ｐ２対応させて、掬い板６に対する取手１の装着向きを前後変更可能に構成したものであれば足りる。
【図面の簡単な説明】
【００１７】
【図１】  本考案に係る掬い具の平面図である。
【図２】  本考案に係る取手の平面図である。
【図３】  本考案に係る掬い具の側面図である。
【図４】  本考案に係る掬い具の使用状態を示す斜視図である。
【符号の説明】
【００１８】  １…取手、５…取手の掛止部、６…掬い板、６ａ…掬い板の中間平板部、７…掬い爪、８…切欠、９…掬い板の被掛止部、１１…焼き網、１２…平行線材、Ｐ１・Ｐ２…平行線材の架設ピッチ。
【図１】
0003107310.tif 000003
【図２】
0003107310.tif 000004
【図３】
0003107310.tif 000005
【図４】
0003107310.tif 000006